(57)【要約】【課題】壁パネルの大きさに容易に対応でき、施工面に優れ、しかも強固に形成された外断熱材及び外断熱構造を提供する。【解決手段】壁パネル１と、この壁パネル１に胴縁２を介して取り付けられる外装材３との間に複数設けられる外断熱材１０は、軟質断熱材１２と、この軟質断熱材１２の表面を被覆するシート材１３と、このシート材１３の表面に固定されることで軟質断熱材１２と一体化され、かつ、胴縁２が固定される硬質断熱材１１とを備える。【選択図】        図１
2005009244.tif 000002
【特許請求の範囲】
【請求項１】
壁パネルと、この壁パネルに胴縁を介して取り付けられる外装材との間に複数設けられる外断熱材であって、
軟質断熱材と、この軟質断熱材の表面を被覆するシート材と、このシート材の表面に固定されることで前記軟質断熱材と一体化され、かつ、前記胴縁が固定される硬質断熱材とを備えたことを特徴とする外断熱材。
【請求項２】
壁パネルと、この壁パネルに胴縁を介して取り付けられる外装材との間に複数設けられる外断熱材であって、
軟質断熱材と、この軟質断熱材に設けられ、かつ、前記胴縁が固定される硬質断熱材とによって外断熱材本体が構成されており、この外断熱材本体の表面全体にシート材が被覆されることによって、前記軟質断熱材と前記硬質断熱材とが一体化されていることを特徴とする外断熱材。
【請求項３】
請求項１又は２に記載の外断熱材において、
前記硬質断熱材の材料がフェノールフォームであることを特徴とする外断熱材。
【請求項４】
請求項１〜３のいずれか一項に記載の外断熱材において、
前記軟質断熱材の材料がグラスウールであることを特徴とする外断熱材。
【請求項５】
請求項１〜４のいずれか一項に記載の外断熱材が壁パネルに複数設けられてなる外断熱構造であって、
前記外断熱材の硬質断熱材に、胴縁が前記硬質断熱材に対して略平行となるように取り付けられ、前記胴縁に外装材が取り付けられていることを特徴とする外断熱構造。
【発明の詳細な説明】
【０００１】
【発明の属する技術分野】
本発明は、壁パネルと、この壁パネルに胴縁を介して取り付けられる外装材との間に複数設けられる外断熱材及び外断熱構造に関する。
【０００２】
【背景の技術】
住宅などの建築物において、外壁からの熱の拡散を防止する目的で設けられる外断熱構造として、複数の壁パネルの外側表面に、互いに離れて配置される複数の硬質断熱材と、これら硬質断熱材の間に設けられる通気性を有する軟質断熱材とが予め一体形成された断熱パネルが複数配置され、これら断熱パネルの外側に、複数の胴縁と、これら胴縁の外側表面に固定された板材とで形成された外装材が、硬質断熱材部分を挟んで壁パネルに釘等を用いて固定することが知られている（例えば、特許文献１参照）。
【０００３】
【特許文献１】
特開２００３−１１９９２０号公報
【０００４】
【発明が解決しようとする課題】
しかしながら、上記断熱パネルは、複数の硬質断熱材と複数の軟質断熱材とが予め一体形成されたものであるので、ある程度の大きさを有しており、１枚の壁パネルと略等しい大きさに形成されている。そのため、このように予め作製された断熱パネルは、壁パネルの大きさが異なる場合に、該壁パネルの大きさに応じて随時変更して作製しなければならず、施工面に優れないという問題がある。
また、複数の硬質断熱材と複数の軟質断熱材とは、スプレー状ののり等により直接接着し固定しているが、これらをさらに強固に固定することが望まれている。
また、上記断熱パネルを構成する複数の硬質断熱材は、該硬質断熱材の外面に取り付けられる胴縁に対して略直交する方向に配置され取り付けられる。そのため、断熱パネルの外面に防水透湿シートを配置し、さらに胴縁や板材を配置して、釘等でこれらを固定する際に、胴縁の下には軟質断熱材が配置されている場合もあり、必ずしも硬質断熱材が配置されているとは限らない。そのため、釘の位置決めが困難で作業効率が悪いという問題がある。
【０００５】
本発明は、上記事情に鑑みてなされたもので、壁パネルの大きさに容易に対応でき、施工面に優れ、しかも強固に形成された外断熱材及び外断熱構造を提供することを課題としている。
【０００６】
【課題を解決するための手段】
上記課題を解決するために、請求項１の発明は、例えば、図１及び図２に示すように、壁パネル１と、この壁パネル１に胴縁２を介して取り付けられる外装材３との間に複数設けられる外断熱材１０であって、
軟質断熱材１２と、この軟質断熱材１２の表面を被覆するシート材１３と、このシート材１３の表面に固定されることで前記軟質断熱材１２と一体化され、かつ、前記胴縁２が固定される硬質断熱材１１とを備えたことを特徴とする。
【０００７】
硬質断熱材１１の材料としては、例えば、フェノール、ポリスチレン、ポリエチレン、ポリ塩化ビニル、ポリウレタン等の合成樹脂を発泡させて作られたものが挙げられる。
軟質断熱材１２の材料としては、例えば、グラスウールやロックウール等が挙げられる。
シート材の材料としては、例えば、グラスウールやポリエチレン等が挙げられる。
【０００８】
請求項１の発明によれば、軟質断熱材１２と、この軟質断熱材１２の表面を被覆するシート材１３と、このシート材１３の表面に固定されることで軟質断熱材１２と一体化される硬質断熱材１１とを備えているので、断熱性に優れるとともに軟質断熱材１２によって透湿性及び通気性にも優れた構造とすることができる。
また、軟質断熱材１２の表面を被覆するシート材１３によって、硬質断熱材１１と軟質断熱材１２とを強固に固定することができる。
さらに、本発明では、硬質断熱材１１に胴縁２が固定されるので、硬質断熱材１１によって胴縁２及び外装材３を確実に固定し保持することができる。また、硬質断熱材１１のみで形成された場合に比して安価な軟質断熱材１２も備えていることから、コスト低減を図ることができる。
さらに、従来と異なり、本発明の外断熱材１０は１つの硬質断熱材１１と１つの軟質断熱材１２とを備え、このような外断熱材１０が壁パネル１に複数設けられることから、外断熱材１０の個数を適宜変更して壁パネル１の外側表面に設けることによって、種々の大きさの壁パネル１に容易に対応することができ、施工面に優れる。
【０００９】
請求項２の発明は、例えば、図３及び図４に示すように、壁パネル１Ａと、この壁パネル１Ａに胴縁２を介して取り付けられる外装材３との間に複数設けられる外断熱材１０Ａであって、
軟質断熱材１２と、この軟質断熱材１２に設けられ、かつ、前記胴縁２が固定される硬質断熱材１１とによって外断熱材本体が構成されており、この外断熱材本体の表面全体にシート材１３が被覆されることによって、前記軟質断熱材１２と前記硬質断熱材１１とが一体化されていることを特徴とする。
【００１０】
請求項２の発明によれば、軟質断熱材１２と、この軟質断熱材１２に設けられる硬質断熱材１１とによって外断熱材本体が構成されており、この外断熱材本体の表面全体にシート材１３が被覆されることによって、軟質断熱材１２と硬質断熱材１１とが一体化されているので、断熱性に優れるとともに軟質断熱材１２によって透湿性及び通気性にも優れた構造とすることができる。
また、シート材１３によって、硬質断熱材１１と軟質断熱材１２とを強固に固定することができる。
さらに、本発明では、硬質断熱材１１に胴縁２が固定されるので、硬質断熱材１１によって胴縁２及び外装材３を確実に固定し保持することができる。また、硬質断熱材１１のみで形成された場合に比して安価な軟質断熱材１２も備えていることから、コスト低減を図ることができる。
さらに、従来と異なり、本発明の外断熱材１０は１つの硬質断熱材１１と１つの軟質断熱材１２とを備え、このような外断熱材１０が壁パネル１に複数設けられることから、外断熱材１０の個数を適宜変更して壁パネル１に設けることによって、種々の大きさの壁パネル１Ａに容易に対応することができ、施工面に優れる。
【００１１】
請求項３の発明は、例えば、図１に示すように、請求項１又は２に記載の外断熱材１０において、
前記硬質断熱材１１の材料がフェノールフォームであることを特徴とする。
【００１２】
請求項３の発明によれば、硬質断熱材１１の材料がフェノールフォームであるので、長期間経過した場合でも、劣化が少なく、より高い断熱性能を実現することができる。また、フェノールフォームは防火性にも優れていることから、燃焼時や破棄時等における発生ガスが少なく、環境保護の観点においても好適である。
【００１３】
請求項４の発明は、例えば、図１に示すように、請求項１〜３のいずれか一項に記載の外断熱材において、
前記軟質断熱材１２の材料がグラスウールであることを特徴とする。
【００１４】
請求項４の発明によれば、軟質断熱材１２の材料がグラスウールであるので、断熱性、吸湿性、透湿性に優れ、軽くて施工し易い。また、安価でコスト削減を図ることができる。
【００１５】
請求項５の発明は、例えば、図２に示すように、請求項１〜４のいずれか一項に記載の外断熱材１０が壁パネル１に複数設けられてなる外断熱構造であって、前記外断熱材１０の硬質断熱材１１に、胴縁２が前記硬質断熱材１１に対して略平行となるように取り付けられ、前記胴縁２に外装材３が取り付けられていることを特徴とする。
【００１６】
請求項５の発明によれば、硬質断熱材１１に胴縁２が硬質断熱材１１に対して略平行となるように取り付けられ、胴縁２に外断熱材３が取り付けられているので、胴縁２や外装材３から壁パネル１に向けて釘やビスＢ等の止着材を打ち込む際に、胴縁２の内側には必ず硬質断熱材１１が配置されていることから、従来に比して止着材の位置決めが容易で、施工をスムーズに行うことができる。
また、断熱性に優れるとともに透湿性及び通気性にも優れた構造とすることができ、さらに、硬質断熱材１１によって胴縁２及び外装材３を確実に固定し保持することができる。
また、従来と異なり、外断熱材１０が壁パネル１の外側表面に複数設けられているので、種々の大きさの壁パネル１に容易に対応することができ、施工が簡単となる。
【００１７】
【発明の実施の形態】
以下、本発明の第１及び第２の実施の形態を図面に基づいて説明する。
［第１の実施の形態］
図１は、本発明に係る外断熱材の概略斜視図であり、図２は、本発明に係る外断熱構造を示す側断面図である。
【００１８】
まず、本発明に係る外断熱材の構成について、図１及び図２を参照して説明する。外断熱材１０は、壁パネル１と、この壁パネル１に胴縁２を介して取り付けられる外装材３との間に複数設けられる。
外断熱材１０は、軟質断熱材１２と、この軟質断熱材１２の表面全体を被覆するシート材１３と、このシート材１３の表面に固定されることで軟質断熱材１２と一体化され、かつ、胴縁２が表面に固定される硬質断熱材１１とを備えている。
【００１９】
硬質断熱材１１は、例えば、厚み約２５ｍｍ、高さ約６０ｍｍ、幅約１８２０ｍｍの長尺な板状部材であり、硬質断熱材１１の外側表面に設けられる胴縁２と略等しい大きさをなしている。
軟質断熱材１２は、例えば、厚み約２５ｍｍ、高さ８５０ｍｍ、幅約１８２０ｍｍの長尺な板状部材である。すなわち、外断熱材１０のうち、軟質断熱材１２が大部分を占めている。
【００２０】
硬質断熱材１１の材料としては、例えば、フェノール、ポリスチレン、ポリエチレン、ポリ塩化ビニル、ポリウレタン等の合成樹脂を発泡させて作られたものが挙げられる。本発明では、特にフェノールを発泡させて作られたフェノールフォーム（商品名）が、長期間経過した場合でも、劣化が少なく、より高い断熱性能を実現することができることから好適に使用することができる。さらに、フェノールフォームは、防火性にも優れていることから、燃焼時や破棄時等における発生ガスが少なく、環境保護の観点においても好適である。
【００２１】
軟質断熱材１２の材料としては、例えば、グラスウールやロックウール等が挙げられる。特に、断熱性、吸湿性、透湿性に優れ、軽くて施工し易く、また、安価な点でグラスウールが好適である。
シート材１３の材料としては、例えば、ポリエチレン等の合成樹脂が挙げられる。
【００２２】
ここで、本発明の外断熱材１０を作製するためには、例えば、袋状にされたシート材１３の中に軟質断熱材１２を充填して、矩形板状となるように形成する。
そして、この軟質断熱材１２の一つの面に接着剤等を塗布して、硬質断熱材１１を接着し固定することによって、硬質断熱材１１と軟質断熱材１２とを一体化し外断熱材１０とする。
【００２３】
なお、外断熱材１０は上述の構成に限らず、例えば図６に示すように、軟質断熱材１２の表面のうち下面に、この下面よりも大きなシート材１３を予め下面からはみ出すように被覆しておき、このシート材１３の表面及び軟質断熱材１２に硬質断熱材１１を接着し固定することによって、硬質断熱材１１と軟質断熱材１２とを一体化した外断熱材１０Ｂとしても良い。
この場合、使用するシート材１３の材料としては、例えばグラスウールとすることが好ましい。
【００２４】
次に、上述の構成をなした複数の外断熱材１０が壁パネル１に設けられてなる外断熱構造について説明する。
本実施の形態における建物は、パネル工法により構築されており、パネル工法とは、予め工場等で製造された木質パネルを現場で基礎に組み付けていくことにより、住宅の床、壁、屋根等を構築するものである。
【００２５】
図２に示すように、建築される建物の外周に略沿って、基礎４が構築され、基礎４の内側で地盤Ｇ上には、防湿土間コンクリート４ａが打設されている。
基礎４の上端には台輪５が敷き込まれており、この台輪５の上面のうちの内側半分に、床パネル６の端部が設置され、外側半分に長尺な桟材である半土台７が設置されている。また、半土台７及び床パネル６の端部の上面に壁パネル１が設置されている。
そして、これら基礎４、台輪５、半土台７及び壁パネル１は、基礎４に予め埋設されたアンカーボルト（図示しない）がそれぞれ台輪５、半土台７、壁パネル１に挿通されて、壁パネル１の下端部に止着されることによって固定されている。
なお、床パネル６の下面全面には防蟻シート８ａが貼られており、台輪５の上面と半土台７及び床パネル６の端部の下面との間には気密性を確保するためにコーキング材８ｂが設けられている。
【００２６】
壁パネル１は、框材を矩形状に組み立てるとともに、この矩形枠の内部に補強用の桟材を縦横に組み付けて枠体を構成し、この枠体内に軟質断熱材１ａが充填され、枠体の両面に合板などの面材１ｂが設けられてなる。上記軟質断熱材１ａとしては、例えば、グラスウールやロックウール等が挙げられる。
【００２７】
壁パネル１の外側表面には、複数の外断熱材１０が、その長手方向を横にして壁パネル１の上下方向に沿って配置され、タッカーによって仮止めされている。
そして、これら複数の外断熱材１０の外側表面には、複数の胴縁２が硬質断熱材１１と同じ方向（横向き）に配置され、硬質断熱材１１に向けてビスＢが打ち込まれることにより固定されている。さらに、これら胴縁２の外側表面に外装材３が胴縁２に向けてビスＢが打ち込まれることにより固定されている。
また、壁パネル１の下端部と半土台７との間には、水切り９が取り付けられている。
【００２８】
なお、上述の複数の外断熱材１０は壁パネル１の外側表面に設けられ、これによって外壁からの熱の拡散を防止し、断熱性能に優れた構造としているが、さらに床部分における断熱性を確保することが望まれている。そこで、この一例として、基礎の内側で地盤の上、すなわち床下空間の下側に断熱層を設けることが知られている（特開２００３−０８２７８４号公報参照）。このように断熱層を設けることで床下空間内に導入された空気の熱が、断熱層によって地盤側へは伝達されずに床部分にだけ伝達され、床部分の断熱性を確保している。しかしながら、この断熱層は、コンクリート、繊維系のグラスウール、ケイ酸カルシウム、純石油系のウレタンフォーム等で形成されており、コンクリートの場合には十分な断熱性を得ることができず、グラスウールやウレタンフォームはコンクリートに比べてある程度の断熱性は得られるものの、環境や人体への影響を考慮するとそれほど好ましくない。
【００２９】
そこで、床部分における断熱性能を高めるために、本実施の形態においては、床パネル６の外側端部と、床パネル６の下面から基礎４の内面に沿って防湿土間コンクリート４ａの上面までの間に断熱材２０が設けられている。この断熱材２０は、上述した外断熱材１０と異なり、例えば、廃紙とポリプロピレン樹脂とを混合して押し出し、水蒸気で発泡させた発泡体を材料としている。
【００３０】
具体的に説明すると、この発泡体の材料となる廃紙は、例えば、はがき、切手、コピー紙等、繊維状にできるものであれば良く、ポリプロピレン樹脂としては、廃材、バージン材等を使用することができる。具体的には、例えば、出光ＰＰＨ  ７００等が使用され、特に融点１７０℃〜２００℃のグレードのものが好ましい。
このような発泡体には、廃紙が５０重量％〜７０重量％含まれ、ポリプロピレン樹脂が３０重量％〜５０重量％含まれている。また、発泡体の密度は、２０ｋｇ／ｍ３〜１００ｋｇ／ｍ３に設定されている。
【００３１】
ここで、上述の発泡体の製造方法について説明する。発泡体の製造方法は、廃紙を粉砕する粉砕工程と、粉砕された廃紙とポリプロピレン樹脂とを混合する混合工程と、混合工程で得られた混合物を水蒸気で加熱して押し出し発泡する発泡工程とを備えている。以下、順に説明する。
【００３２】
（１）粉砕工程
まず、粉砕工程では、第１の工程と第２の工程とがあり、第１の工程では、はがきなどの廃紙を細かく粉砕する。
次に、第２の工程において第１の工程で得られた切断物にでんぷんと水とを加えて造粒物にする。でんぷんには、例えばトウモロコシ由来のでんぷんなど、各種のでんぷんを使用することができ、具体的にはホーネンコーポレーション製のでんぷんなどが用いられる。でんぷんは、廃紙に含有されるセルロース中、１〜３重量％分だけ混合され、凝固剤として機能する。
次に、得られた造粒物を、例えば、ポールミルなどの粉砕機により粉砕する。その後、粉砕物を２００〜４００メッシュ、好ましくは３００メッシュの篩でふるい、粉砕物を得る。
【００３３】
（２）混合工程
次に、粉砕工程で得られた粉砕された状態の廃紙（セルロース）をポリプロピレン樹脂と混合する。廃紙とポリプロピレン樹脂とを混練し、ペレット状に形成する。
【００３４】
（３）発泡工程
次に、混合工程で得られた混合物であるペレットを、水蒸気で加熱して押し出し発泡する。発泡する際には、混合物を二軸スクリューなどにより混和して、水蒸気で１７０℃〜１９０℃、好ましくは１８０℃に加熱し、また、０．５１ＭＰａ〜０．７１ＭＰａに加圧する。押し出し速度及び押し出し金型の形状をコントロールするなどして、発泡物の密度を２０ｋｇ／ｍ３〜１００ｋｇ／ｍ３に設定する。
【００３５】
そして、上述のようにして製造された発泡体を材料とした断熱材２０は、床パネル６を製造する際に、予め、框材が組み付けられてなる枠体内のうち床パネル６の端部に当たる箇所に充填しておく。また、床パネル６の下面から防湿土間コンクリート４ａとの間にも、基礎４の内面に沿って取り付け、さらに、防湿土間コンクリート４ａの上面にも取り付ける。
【００３６】
このように床パネル６の端部や床パネル６の下面から防湿土間コンクリート４ａの上面の間に発泡体を材料とした断熱材２０を設けているので、断熱材２０の廃紙に含まれるセルロース繊維一本一本がネットのように支え合うことにより、急冷による発泡体のしぼみが抑えられるとともに、発泡体の内部に空気が閉じこめられて断熱効果が得られ、さらに弾力性を有するものとなる。また、材料には、廃紙やポリプロピレン樹脂の廃材を利用するので、資源の有効活用に貢献することができる。さらに、はがきや切手、コピー紙、その他雑誌、文庫本などあらゆる廃紙を材料とすることができることから、資材の調達も比較的容易である。
【００３７】
以上、本発明の第１の実施の形態の外断熱材１０によれば、軟質断熱材１２と、この軟質断熱材１２の表面を被覆するシート材１３と、このシート材１３の表面に固定されることで軟質断熱材１２と一体化される硬質断熱材１１とを備えているので、断熱性に優れるとともに軟質断熱材１２によって透湿性及び通気性にも優れた構造とすることができる。
また、シート材１３によって、硬質断熱材１１と軟質断熱材１２とを強固に固定することができる。
さらに、本発明では、硬質断熱材１１に胴縁２が固定されるので、胴縁２及び外装材３を確実に固定し保持することができる。また、安価な軟質断熱材１２も備えていることから、コスト低減を図ることができる。
さらに、従来と異なり、外断熱材１０が壁パネル１の外側表面に複数設けられることから、外断熱材１０の個数を適宜変更することによって、種々の大きさの壁パネル１に容易に対応することができ、施工面に優れる。
【００３８】
本発明の第１の実施の形態の外断熱構造によれば、硬質断熱材１１に胴縁２が硬質断熱材１１に対して略平行となるように取り付けられ、胴縁２に外断熱材３が取り付けられているので、胴縁２や外装材３から壁パネル１に向けてビスＢを打ち込む際に、胴縁２の内側には必ず硬質断熱材１１が配置されていることから、ビスＢの位置決めが容易で、施工をスムーズに行うことができる。
【００３９】
［第２の実施の形態］
図３は、本発明に係る外断熱材の概略斜視図であり、図４は、本発明に係る外断熱構造を示す側断面図である。
図３及び図４に示すように、本発明の外断熱材１０Ａは、軟質断熱材１２と、この軟質断熱材１２に設けられ、かつ、胴縁２が固定される硬質断熱材１１とによって外断熱材本体が構成されており、この外断熱材本体の表面全体にシート材１３が被覆されることによって、軟質断熱材１２と硬質断熱材１１とが一体化されている。
なお、硬質断熱材１１、軟質断熱材１２及びシート材１３の材料としては、上述したものと同様のものを使用することができる。
【００４０】
このような外断熱材１０Ａを作製する方法としては、例えば、袋状にされたシート材１３の中に軟質断熱材１２と硬質断熱材１１との両方を一緒に充填して、矩形板状となるように形成する。この方法によれば、上述の第１の実施の形態の方法に比べて簡単に施工することができる。
【００４１】
次に、上述の構成をなした複数の外断熱材１０Ａが壁パネル１に設けられてなる外断熱構造について説明する。
本発明の外断熱構造は、第１の実施の形態と異なり、建物の開口部周囲を構成する壁パネル１Ａに外断熱材１０を設けた場合である。
図４に示すように、複数の壁パネル１Ａにより構成された建物躯体には開口部Ｋが形成されている。これら壁パネル１Ａの外側表面には、複数の外断熱材１０Ａが、その長手方向を横にして壁パネル１Ａの上下方向に沿って配置され、タッカーによって仮止めされている。そして、これら複数の外断熱材１０Ａの外側表面には、複数の胴縁２が硬質断熱材１１と同じ方向（横向き）に配置され、硬質断熱材１１に向けてビスＢが打ち込まれることにより固定されている。さらに、これら胴縁２の外側表面に外装材３が胴縁２に向けてビスＢが打ち込まれることにより固定されている。
【００４２】
また、開口部Ｋを形成する内周面と壁パネル１Ａの内側表面との間に跨るように室内用化粧枠３０が設置されている。壁パネル１Ａの外側表面のうち、外断熱材１０の下端部には調整材３１が設けられており、この調整材３１にサッシ枠３２が設置されている。サッシ枠３２にはサッシ３３が嵌め込まれている。
このようにサッシ枠３２を設けることにより、外装材３の上端部はサッシ枠３２より内側に位置することから水切りが不要となる。
【００４３】
なお、図５における室内用化粧枠３０Ａは、図４の室内用化粧枠３０よりも小さい場合であり、例えば、厚み９０ｍｍの壁パネル仕様である。この場合、調整材３１を設けずにサッシ枠３２が直接、開口部Ｋを形成する内周面の外側部分に設置されている。図４に示す室内用化粧枠３０は、厚み１２０ｍｍの壁パネル仕様である。
【００４４】
以上、本発明の第２の実施の形態の外断熱材１０Ａによれば、軟質断熱材１２と、この軟質断熱材１２に設けられる硬質断熱材１１とによって外断熱材本体が構成されており、この外断熱材本体の表面全体にシート材１３が被覆されることによって、軟質断熱材１２と硬質断熱材１１とが一体化されているので、断熱性に優れるとともに軟質断熱材１２によって透湿性及び通気性にも優れた構造とすることができる。
また、シート材１３によって、硬質断熱材１１と軟質断熱材１２とを強固に固定することができる。
さらに、本発明では、硬質断熱材１１に胴縁２が固定されるので、胴縁２及び外装材３を確実に固定し保持することができる。また、安価な軟質断熱材１２も備えていることから、コスト低減を図ることができる。
さらに、従来と異なり、外断熱材１０Ａが壁パネル１の外側表面に複数設けられることから、外断熱材１０の個数を適宜変更することによって、種々の大きさの壁パネル１に容易に対応することができ、施工面に優れる。
【００４５】
本発明の第２の実施の形態の外断熱構造によれば、硬質断熱材１１に胴縁２が硬質断熱材１１に対して略平行となるように取り付けられ、胴縁２に外断熱材３が取り付けられているので、胴縁２や外装材３から壁パネル１に向けてビスＢを打ち込む際に、胴縁２の内側には必ず硬質断熱材１１が配置されていることから、ビスＢの位置決めが容易で、施工をスムーズに行うことができる。
【００４６】
なお、本発明は、上記実施の形態に限定されるものではなく、その要旨を逸脱しない範囲で適宜変更可能である。
例えば、第１の実施の形態の外断熱材１０を、第２の実施の形態のように建物の開口部周囲を構成する壁パネル１Ａに複数設けるようにしても良く、逆に、第２の実施の形態の外断熱材１０Ａを、第１の実施の形態のように基礎４上に設置された壁パネル１に複数設けるようにしても良い。
【００４７】
【発明の効果】
請求項１の発明によれば、断熱性に優れるとともに透湿性及び通気性にも優れた構造とすることができる。また、シート材によって、硬質断熱材と軟質断熱材とを強固に固定することができる。
さらに、胴縁及び外装材を確実に固定し保持することができる。また、コスト低減を図ることができる。
さらに、従来と異なり、外断熱材の個数を適宜変更することによって、種々の大きさの壁パネルに容易に対応することができ、施工面に優れる。
【００４８】
請求項２の発明によれば、断熱性に優れるとともに透湿性及び通気性にも優れた構造とすることができる。また、シート材によって、硬質断熱材と軟質断熱材とを強固に固定することができる。
さらに、胴縁及び外装材を確実に固定し保持することができる。また、コスト低減を図ることができる。
さらに、従来と異なり、外断熱材の個数を適宜変更することによって、種々の大きさの壁パネルに容易に対応することができ、施工面に優れる。
【００４９】
請求項３の発明によれば、請求項１又は２と同様の効果を得ることができるのは勿論のこと、硬質断熱材の材料がフェノールフォームであるので、長期間経過した場合でも、劣化が少なく、より高い断熱性能を実現することができる。また、防火性にも優れ、燃焼時や破棄時等における発生ガスが少なく、環境保護の観点においても好適である。
【００５０】
請求項４の発明によれば、請求項１〜３のいずれか一項と同様の効果を得ることができるのは勿論のこと、軟質断熱材の材料がグラスウールであるので、断熱性、吸湿性、透湿性に優れ、軽くて施工し易い。さらに、安価でコスト削減を図ることができる。
【００５１】
請求項５の発明によれば、止着材の位置決めが容易で、施工をスムーズに行うことができる。また、断熱性に優れるとともに透湿性及び通気性にも優れた構造とすることができ、さらに、胴縁及び外装材を確実に固定し保持することができる。
また、従来と異なり、外断熱材が壁パネルの外側表面に複数設けられているので、種々の大きさの壁パネルに容易に対応することができ、施工が簡単となる。
【図面の簡単な説明】
【図１】本発明の第１の実施の形態を示すためのもので、外断熱材の概略斜視図である。
【図２】同、外断熱構造の側断面図である。
【図３】本発明の第２の実施の形態を示すためのもので、外断熱材の概略斜視図である。
【図４】同、外断熱構造の側断面図である。
【図５】同、外断熱構造の側断面図である。
【図６】その他の実施の形態を示すためのもので、外断熱材の側断面図である。
【符号の説明】
１、１Ａ  壁パネル
２  胴縁
３  外装材
１０、１０Ａ  外断熱材
１１  硬質断熱材
１２  軟質断熱材
１３  シート材
【図１】
2005009244.tif 000003
【図２】
2005009244.tif 000004
【図３】
2005009244.tif 000005
【図４】
2005009244.tif 000006
【図５】
2005009244.tif 000007
【図６】
2005009244.tif 000008